(57)【要約】【課題】画像形成装置において、画面の操作性を向上させる。【解決手段】画像形成装置１００は、用紙が格納されるトレイの情報が表示されるトレイ情報画面と、トレイに格納された用紙に関する設定を行い、確認印刷ボタンを備える用紙設定画面と、印刷ジョブを選択する印刷ジョブ選択画面とを表示する操作部１６０を備える。操作部１６０は、確認印刷ボタンが押下されると、用紙設定画面を調整画面栞１７０として記憶する。また、操作部１６０は、印刷ジョブ選択画面またはサンプル出力画面においてトレイ情報画面へ遷移するボタンが押下されると、調整画面栞１７０に記憶された用紙設定画面に遷移する。【選択図】図１
2020065177.tif 000002
【特許請求の範囲】
【請求項１】
用紙が格納されるトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置であって、
前記用紙設定画面は、確認印刷ボタンを備え、
前記画面表示操作部は、前記用紙設定画面の確認印刷ボタンが押下されると、当該用紙設定画面を調整画面として記憶し、前記操作画面において前記トレイ情報画面へ遷移するボタンが押下されると、前記調整画面として記憶された用紙設定画面に遷移する
ことを特徴とする画像形成装置。
【請求項２】
前記画面表示操作部は、
前記印刷ジョブ選択画面で選択された印刷ジョブを、印刷ページを指定して印刷を指示するサンプル出力画面をも表示し、
前記サンプル出力画面において前記印刷ジョブの印刷が指示されると、当該印刷ジョブを調整印刷ジョブとして記憶するとともに、当該印刷ジョブを印刷し、
前記調整印刷ジョブに印刷ジョブが記憶されている状態で前記用紙設定画面の確認印刷ボタンが押下されると、前記調整印刷ジョブに記憶された印刷ジョブの印刷を指示するサンプル出力画面に遷移する
ことを特徴とする請求項１に記載の画像形成装置。
【請求項３】
前記画面表示操作部は、
前記サンプル出力画面において前記印刷ジョブの印刷が指示されて当該印刷ジョブを印刷するとともに、前記調整画面として記憶された用紙設定画面に遷移する
ことを特徴とする請求項２に記載の画像形成装置。
【請求項４】
前記画面表示操作部は、
前記調整印刷ジョブに記憶される印刷ジョブと異なる印刷ジョブが印刷されると、前記調整画面および前記調整印刷ジョブを初期化する
ことを特徴とする請求項２または３に記載の画像形成装置。
【請求項５】
前記画面表示操作部は、
前記トレイの開閉、前記トレイに対応した用紙設定のリセット、および、前記トレイに対応した用紙設定に係る用紙プロファイルの呼出しの何れかを検知すると、前記調整画面および前記調整印刷ジョブを初期化する
ことを特徴とする請求項２〜４の何れか１項に記載の画像形成装置。
【請求項６】
用紙が格納される複数のトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置であって、
前記用紙設定画面は、確認印刷ボタンを備え、
前記画面表示操作部は、前記用紙設定画面の確認印刷ボタンが押下されると、当該用紙設定画面を当該用紙設定画面に対応したトレイに関連付けられた調整画面として記憶し、前記トレイ情報画面において用紙設定を行うトレイを選択するボタンが押下されると、当該選択されたトレイに関連付けられた調整画面として記憶された用紙設定画面に遷移する
ことを特徴とする画像形成装置。
【請求項７】
前記画面表示操作部は、
前記印刷ジョブ選択画面で選択された印刷ジョブを、印刷ページを指定して印刷を指示するサンプル出力画面をも表示し、
前記トレイに対応した用紙設定画面の確認印刷ボタンが押下された後に前記サンプル出力画面において前記印刷ジョブの印刷が指示されると、当該印刷ジョブを当該トレイに関連付けられた調整印刷ジョブとして記憶するとともに、当該印刷ジョブを印刷し、
前記トレイに関連付けられた調整印刷ジョブに印刷ジョブが記憶されている状態で当該トレイに対応した用紙設定画面の確認印刷ボタンが押下されると、当該トレイに関連付けられた調整印刷ジョブに記憶された印刷ジョブの印刷を指示するサンプル出力画面に遷移する
ことを特徴とする請求項６に記載の画像形成装置。
【請求項８】
前記画面表示操作部は、
前記トレイに対応した用紙設定画面の確認印刷ボタンが押下された後に前記サンプル出力画面において前記印刷ジョブの印刷が指示されて当該印刷ジョブを印刷するとともに、当該トレイに関連付けられた調整画面として記憶された用紙設定画面に遷移する
ことを特徴とする請求項７に記載の画像形成装置。
【請求項９】
前記画面表示操作部は、
前記トレイに関連付けられた調整印刷ジョブに記憶される何れの印刷ジョブとも異なる印刷ジョブが印刷されると、前記調整画面および前記調整印刷ジョブを初期化する
ことを特徴とする請求項７または８に記載の画像形成装置。
【請求項１０】
前記画面表示操作部は、
前記トレイの開閉、前記トレイに対応した用紙設定のリセット、および、前記トレイに対応した用紙設定に係る用紙プロファイルの呼出しの何れかを検知すると、当該トレイに関連付けられた調整画面および調整印刷ジョブを初期化する
ことを特徴とする請求項７〜９の何れか１項に記載の画像形成装置。
【請求項１１】
前記画面表示操作部は、
印刷ジョブが印刷されると当該印刷ジョブの色数を記憶し、前回印刷された印刷ジョブの色数と、今回印刷された印刷ジョブの色数とが異なるときには、前記調整画面および前記調整印刷ジョブを初期化する
ことを特徴とする請求項２〜５および７〜１０の何れか１項に記載の画像形成装置。
【請求項１２】
前記画面表示操作部は、
印刷ジョブが印刷されると当該印刷ジョブの印字率を記憶し、前回印刷された印刷ジョブの印字率と、今回印刷された印刷ジョブの印字率との差が所定の値以上であるときには、前記調整画面および前記調整印刷ジョブを初期化する
ことを特徴とする請求項２〜５および７〜１１の何れか１項に記載の画像形成装置。
【請求項１３】
前記画面表示操作部は、
前記サンプル出力画面とは異なる操作画面を用いて前記印刷ジョブが印刷されると、前記調整画面および前記調整印刷ジョブを初期化する
ことを特徴とする請求項２〜５および７〜１２の何れか１項に記載の画像形成装置。
【請求項１４】
前記画面表示操作部は、
前記画像形成装置の電源が投入されたとき、または、前記画像形成装置が操作されない時間が所定時間経過したときに、前記調整画面および前記調整印刷ジョブを初期化する
ことを特徴とする請求項２〜５および７〜１３の何れか１項に記載の画像形成装置。
【請求項１５】
用紙が格納されるトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置の画面表示方法であって、
前記画像形成装置は、
前記用紙設定画面が、確認印刷ボタンを備えるように表示し、
前記用紙設定画面の確認印刷ボタンが押下されると、当該用紙設定画面を調整画面として記憶し、前記操作画面において前記トレイ情報画面へ遷移するボタンが押下されると、前記調整画面として記憶された用紙設定画面を表示する
ことを特徴とする画面表示方法。
【請求項１６】
用紙が格納される複数のトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置の画面表示方法であって、
前記画像形成装置は、
前記用紙設定画面が、確認印刷ボタンを備えるように表示し、
前記用紙設定画面の確認印刷ボタンが押下されると、当該用紙設定画面を当該用紙設定画面に対応したトレイに関連付けられた調整画面として記憶し、前記トレイ情報画面において用紙設定を行うトレイを選択するボタンが押下されると、当該選択されたトレイに関連付けられた調整画面として記憶された用紙設定画面を表示する
ことを特徴とする画面表示方法。
【発明の詳細な説明】
【技術分野】
【０００１】
本発明は、操作画面における機能の設定や実行などの操作性を向上させる画像形成装置および画面表示方法に関する。
【背景技術】
【０００２】
複写機やスキャナ、プリンタなどの機能を備えた画像形成装置の高機能化が進んでおり、機能ごとに多数の設定項目がある。このために、画像形成装置は、機能ごとに画面を設け、さらに機能の設定項目ごとに画面を階層化して表示を切り替える（画面遷移する）ようにして、設定するようにしている。画面で操作ボタンを押下しながら画面を遷移して、所望の画面に移動する（切り替える）ために、利用者は、多数の操作が必要となり、煩わしさの原因となっている。
【０００３】
画面操作の煩わしさを避けるために、栞（ショートカット）の機能がある（特許文献１，２）。所望の画面に栞を設定しておけば、他の画面で栞を選択することで所望の画面に一挙に遷移する（移動する）。
【先行技術文献】
【特許文献】
【０００４】
【特許文献１】特開２００２−２７８３７５号公報
【特許文献２】特開２００９−１０４３４０号公報
【発明の概要】
【発明が解決しようとする課題】
【０００５】
従来技術では、画像形成装置に備わる各種機能の設定や実行を行う画面に栞を設定しておくことで、他の画面から栞を設定した画面に遷移することができる。しかしながら、印刷ジョブ（文書ファイルやスキャンした文書などを印刷するジョブ、単にジョブとも記す）に係り、印刷部数やパンチの有無を指定する画面（ジョブチケット編集画面）については、到着する印刷ジョブごとにジョブチケット編集画面があるため、予め栞を設定することはできない。これは、ジョブチケット編集画面が、印刷ジョブが到着し、利用者が到着した印刷ジョブのなかから１つを選択して、選択された印刷ジョブのジョブチケット編集画面に遷移するときに動的に生成される画面であるからであって、画像形成装置に静的に備わっている機能の設定画面とは異なるからである。
【０００６】
画像不良や紙詰まりなどの不具合への対応については、利用者は、印刷用紙に依存するプロセス特性値の設定を変えて印刷して設定の確認を行うという手順を繰り返すことで、最もバランスのよい用紙設定を決める。確認用の印刷画像は、画像形成装置に備わっている調整用の固定画像とは限らず、特定の印刷ジョブに含まれる特定のページの画像である場合もある。このような場合には、設定対象となっている用紙が入っているトレイの用紙設定の画面と、特定のページの印刷ジョブを指定するジョブチケット編集画面との間を往復しながら、設定と確認とを繰り返すことになる。
【０００７】
従来技術では、当該チケット編集画面には栞が設定できないために、印刷ジョブを選択して、さらに印刷ページを選択する操作が必要である。さらに、トレイごとにある設定画面に付与された複数の栞から設定対象のトレイの栞を選択する操作が必要である。ジョブチケット編集画面に移動する操作もトレイの設定画面に移動する操作も、利用者にとって煩わしい操作であり、操作の簡便化が望まれていた。
【０００８】
本発明は、このような背景を鑑みてなされたのであり、画面の操作性を向上させる画像形成装置および画面表示方法を提供することを目的とする。
【課題を解決するための手段】
【０００９】
本発明の上記目的は、下記の手段によって達成される。
【００１０】
（１）用紙が格納されるトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置であって、前記用紙設定画面は、確認印刷ボタンを備え、前記画面表示操作部は、前記用紙設定画面の確認印刷ボタンが押下されると、当該用紙設定画面を調整画面として記憶し、前記操作画面において前記トレイ情報画面へ遷移するボタンが押下されると、前記調整画面として記憶された用紙設定画面に遷移することを特徴とする画像形成装置。
【００１１】
（２）前記画面表示操作部は、前記印刷ジョブ選択画面で選択された印刷ジョブを、印刷ページを指定して印刷を指示するサンプル出力画面をも表示し、前記サンプル出力画面において前記印刷ジョブの印刷が指示されると、当該印刷ジョブを調整印刷ジョブとして記憶するとともに、当該印刷ジョブを印刷し、前記調整印刷ジョブに印刷ジョブが記憶されている状態で前記用紙設定画面の確認印刷ボタンが押下されると、前記調整印刷ジョブに記憶された印刷ジョブの印刷を指示するサンプル出力画面に遷移することを特徴とする上記（１）に記載の画像形成装置。
【００１２】
（３）前記画面表示操作部は、前記サンプル出力画面において前記印刷ジョブの印刷が指示されて当該印刷ジョブを印刷するとともに、前記調整画面として記憶された用紙設定画面に遷移することを特徴とする上記（２）に記載の画像形成装置。
【００１３】
（４）前記画面表示操作部は、前記調整印刷ジョブに記憶される印刷ジョブと異なる印刷ジョブが印刷されると、前記調整画面および前記調整印刷ジョブを初期化することを特徴とする上記（２）または（３）に記載の画像形成装置。
【００１４】
（５）前記画面表示操作部は、前記トレイの開閉、前記トレイに対応した用紙設定のリセット、および、前記トレイに対応した用紙設定に係る用紙プロファイルの呼出しの何れかを検知すると、前記調整画面および前記調整印刷ジョブを初期化することを特徴とする上記（２）〜（４）の何れか１つに記載の画像形成装置。
【００１５】
（６）用紙が格納される複数のトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置であって、前記用紙設定画面は、確認印刷ボタンを備え、前記画面表示操作部は、前記用紙設定画面の確認印刷ボタンが押下されると、当該用紙設定画面を当該用紙設定画面に対応したトレイに関連付けられた調整画面として記憶し、前記トレイ情報画面において用紙設定を行うトレイを選択するボタンが押下されると、当該選択されたトレイに関連付けられた調整画面として記憶された用紙設定画面に遷移することを特徴とする画像形成装置。
【００１６】
（７）前記画面表示操作部は、前記印刷ジョブ選択画面で選択された印刷ジョブを、印刷ページを指定して印刷を指示するサンプル出力画面をも表示し、前記トレイに対応した用紙設定画面の確認印刷ボタンが押下された後に前記サンプル出力画面において前記印刷ジョブの印刷が指示されると、当該印刷ジョブを当該トレイに関連付けられた調整印刷ジョブとして記憶するとともに、当該印刷ジョブを印刷し、前記トレイに関連付けられた調整印刷ジョブに印刷ジョブが記憶されている状態で当該トレイに対応した用紙設定画面の確認印刷ボタンが押下されると、当該トレイに関連付けられた調整印刷ジョブに記憶された印刷ジョブの印刷を指示するサンプル出力画面に遷移することを特徴とする上記（６）に記載の画像形成装置。
【００１７】
（８）前記画面表示操作部は、前記トレイに対応した用紙設定画面の確認印刷ボタンが押下された後に前記サンプル出力画面において前記印刷ジョブの印刷が指示されて当該印刷ジョブを印刷するとともに、当該トレイに関連付けられた調整画面として記憶された用紙設定画面に遷移することを特徴とする上記（７）に記載の画像形成装置。
【００１８】
（９）前記画面表示操作部は、前記トレイに関連付けられた調整印刷ジョブに記憶される何れの印刷ジョブとも異なる印刷ジョブが印刷されると、前記調整画面および前記調整印刷ジョブを初期化することを特徴とする上記（７）または（８）に記載の画像形成装置。
【００１９】
（１０）前記画面表示操作部は、前記トレイの開閉、前記トレイに対応した用紙設定のリセット、および、前記トレイに対応した用紙設定に係る用紙プロファイルの呼出しの何れかを検知すると、当該トレイに関連付けられた調整画面および調整印刷ジョブを初期化することを特徴とする上記（７）〜（９）の何れか１つに記載の画像形成装置。
【００２０】
（１１）前記画面表示操作部は、印刷ジョブが印刷されると当該印刷ジョブの色数を記憶し、前回印刷された印刷ジョブの色数と、今回印刷された印刷ジョブの色数とが異なるときには、前記調整画面および前記調整印刷ジョブを初期化することを特徴とする上記（２）〜（５）および（７）〜（１０）の何れか１つに記載の画像形成装置。
【００２１】
（１２）前記画面表示操作部は、印刷ジョブが印刷されると当該印刷ジョブの印字率を記憶し、前回印刷された印刷ジョブの印字率と、今回印刷された印刷ジョブの印字率との差が所定の値以上であるときには、前記調整画面および前記調整印刷ジョブを初期化することを特徴とする上記（２）〜（５）および（７）〜（１１）の何れか１つに記載の画像形成装置。
【００２２】
（１３）前記画面表示操作部は、前記サンプル出力画面とは異なる操作画面を用いて前記印刷ジョブが印刷されると、前記調整画面および前記調整印刷ジョブを初期化することを特徴とする上記（２）〜（５）および（７）〜（１２）の何れか１つに記載の画像形成装置。
【００２３】
（１４）前記画面表示操作部は、前記画像形成装置の電源が投入されたとき、または、前記画像形成装置が操作されない時間が所定時間経過したときに、前記調整画面および前記調整印刷ジョブを初期化することを特徴とする上記（２）〜（５）および（７）〜（１３）の何れか１つに記載の画像形成装置。
【００２４】
（１５）用紙が格納されるトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置の画面表示方法であって、前記画像形成装置は、前記用紙設定画面が、確認印刷ボタンを備えるように表示し、前記用紙設定画面の確認印刷ボタンが押下されると、当該用紙設定画面を調整画面として記憶し、前記操作画面において前記トレイ情報画面へ遷移するボタンが押下されると、前記調整画面として記憶された用紙設定画面を表示することを特徴とする画面表示方法。
【００２５】
（１６）用紙が格納される複数のトレイの情報が表示されるトレイ情報画面と、前記トレイに格納された用紙に関する設定を行う用紙設定画面と、印刷ジョブを選択する印刷ジョブ選択画面とを含めた操作画面を表示する画面表示操作部を備えた画像形成装置の画面表示方法であって、前記画像形成装置は、前記用紙設定画面が、確認印刷ボタンを備えるように表示し、前記用紙設定画面の確認印刷ボタンが押下されると、当該用紙設定画面を当該用紙設定画面に対応したトレイに関連付けられた調整画面として記憶し、前記トレイ情報画面において用紙設定を行うトレイを選択するボタンが押下されると、当該選択されたトレイに関連付けられた調整画面として記憶された用紙設定画面を表示することを特徴とする画面表示方法。
【発明の効果】
【００２６】
本発明によれば、画面の操作性を向上させる画像形成装置および画面表示方法を提供することができる。
【図面の簡単な説明】
【００２７】
【図１】第１の実施形態に係る画像形成装置の機能構成を例示するブロック図である。
【図２】第１の実施形態における画面遷移を説明するための図である。
【図３】第１の実施形態に係る機械状態トップ画面の画面構成を示す図である。
【図４】第１の実施形態に係る用紙設定画面の画面構成を示す図である。
【図５】第１の実施形態に係る個別設定変更画面の画面構成を示す図である。
【図６】第１の実施形態に係るエキスパート調整画面の画面構成を示す図である。
【図７】第１の実施形態に係る一時保存ジョブリスト画面の画面構成を示す図である。
【図８】第１の実施形態に係るジョブチケット編集画面の画面構成を示す図である。
【図９】第１の実施形態に係るサンプル出力画面の画面構成を示す図である。
【図１０】第１の実施形態に係る、確認プリントボタンが押下されたときの、操作制御部の処理を示すフローチャートである。
【図１１】第１の実施形態に係るサンプル出力画面のＯＫボタンが押下されたときの、操作制御部の処理を示すフローチャートである。
【図１２】第１の実施形態に係る一時保存ジョブリスト画面やジョブチケット編集画面の機械状態タブが押下されたときの、操作制御部の処理を示すフローチャートである。
【図１３】第１の実施形態に係る、機械状態トップ画面からエキスパート調整画面まで遷移したときの画面遷移を示す図である。
【図１４】第１の実施形態に係る、エキスパート調整画面において確認プリントボタンが押下されたときの画面遷移を示す図である。
【図１５】第１の実施形態に係る、一時保存ジョブリスト画面からサンプル出力画面まで遷移したときの画面遷移を示す図である。
【図１６】第１の実施形態に係る、サンプル出力画面においてＯＫボタンが押下されたときの画面遷移を示す図である。
【図１７】第１の実施形態に係る、ジョブチケット編集画面において機械状態タブが押下されたときの画面遷移を示す図である。
【図１８】第１の実施形態に係る、エキスパート調整画面において確認プリントボタンが押下されたときの画面遷移を示す図である。
【図１９】第１の実施形態の変形例１に係る画面遷移を説明するための図である。
【図２０】第１の実施形態の変形例１に係るサンプル出力画面のＯＫボタンが押下されたときの、操作制御部の処理を示すフローチャートである。
【図２１】第１の実施形態の変形例１に係る、サンプル出力画面においてＯＫボタンが押下されたときの画面遷移を示す図である。
【図２２】第２の実施形態に係る画像形成装置の機能構成を例示するブロック図である。
【図２３】第２の実施形態に係る、確認プリントボタンが押下されたときの、操作制御部の処理を示すフローチャートである。
【図２４】第２の実施形態に係るサンプル出力画面のＯＫボタンが押下されたときの、操作制御部の処理を示すフローチャートである。
【図２５】第２の実施形態に係る一時保存ジョブリスト画面やジョブチケット編集画面の機械状態タブが押下されたときの、操作制御部の処理を示すフローチャートである。
【図２６】第２の実施形態に係る用紙設定画面において画面左側のトレイ１〜トレイ６の何れかのトレイボタンが押下されたときの、操作制御部の処理を示すフローチャートである。
【図２７】第２の実施形態に係る、機械状態トップ画面からトレイ１のエキスパート調整画面まで遷移したときの画面遷移を示す図である。
【図２８】第２の実施形態に係る、トレイ１のエキスパート調整画面において確認プリントボタンが押下されたときの画面遷移を示す図である。
【図２９】第２の実施形態に係る、一時保存ジョブリスト画面からジョブ１のサンプル出力画面まで遷移したときの画面遷移を示す図である。
【図３０】第２の実施形態に係る、ジョブ１のサンプル出力画面においてＯＫボタンが押下されたときの画面遷移を示す図である。
【図３１】第２の実施形態に係る、ジョブ１のジョブチケット編集画面において機械状態タブが押下されたときの画面遷移を示す図である。
【図３２】第２の実施形態に係る、機械状態トップ画面において用紙設定ボタンが押下されたときの画面遷移を示す図である。
【図３３】第２の実施形態に係る、用紙設定画面においてトレイ２のトレイボタンが押下されたときの画面遷移を示す図である。
【図３４】第２の実施形態に係る、トレイ２の個別設定変更画面においてエキスパート調整ボタンが押下されたときの画面遷移を示す図である。
【図３５】第２の実施形態に係る、トレイ２のエキスパート調整画面において確認プリントボタンが押下されたときの画面遷移を示す図である。
【図３６】第２の実施形態に係る、一時保存ジョブリスト画面において機械状態タブが押下されたときの画面遷移を示す図である。
【図３７】第２の実施形態に係る、機械状態トップ画面において用紙設定ボタンが押下されたときの画面遷移を示す図である。
【図３８】第２の実施形態に係る、用紙設定画面においてトレイ１のトレイボタンが押下されたときの画面遷移を示す図である。
【図３９】第２の実施形態に係る、トレイ１のエキスパート調整画面において確認プリントボタンが押下されたときの画面遷移を示す図である。
【図４０】第２の実施形態の変形例１に係るサンプル出力画面のＯＫボタンが押下されたときの、操作制御部の処理を示すフローチャートである。
【図４１】第２の実施形態の変形例１に係る、サンプル出力画面においてＯＫボタンが押下されたときの画面遷移を示す図である。
【図４２】第２の実施形態の変形例２に係る、トレイリセット時における栞初期化処理のフローチャートである。
【図４３】第２の実施形態の変形例２に係る、オートリセット時における栞初期化処理のフローチャートである。
【図４４】第２の実施形態の変形例２に係る、印刷ジョブ出力要求時の栞初期化処理のフローチャートである。
【図４５】従来技術における画像形成装置の機能構成を例示するブロック図である。
【図４６】従来技術における画面遷移を説明するための図である。
【図４７】従来技術における機械状態トップ画面の画面構成を示す図である。
【図４８】従来技術における用紙設定画面の画面構成を示す図である。
【図４９】従来技術における個別設定変更画面の画面構成を示す図である。
【図５０】従来技術におけるエキスパート調整画面の画面構成を示す図である。
【図５１】従来技術における一時保存ジョブリスト画面の画面構成を示す図である。
【図５２】従来技術におけるジョブチケット編集画面の画面構成を示す図である。
【図５３】従来技術におけるサンプル出力画面の画面構成を示す図である。
【発明を実施するための形態】
【００２８】
本発明を実施するための形態（実施形態）における画像形成装置の詳細を説明する前に、従来技術における画面操作（操作画面と操作内容）を説明する。操作画面は、画像形成装置（後記する図４５参照）の操作部に備わる液晶ディスプレイ（ＬＣＤ（Liquid Crystal Display））上に表示される。画像形成装置の利用者は、液晶ディスプレイに敷設されたタッチパネルおよびその他のスイッチ（ボタン）を操作することで、画像形成装置を操作する。
【００２９】
≪従来技術：画像形成装置の構成≫
図４５は、従来技術における画像形成装置１００Ｚの機能構成を例示するブロック図である。画像形成装置１００Ｚは、画像処理部１１０および本体部１２０を含んで構成されている。
【００３０】
画像処理部１１０は、パソコンなどの外部端末がＬＡＮ（Local Area Network）などのネットワークを介して送信した印刷ジョブのデータから画像データを生成する画像処理機能などを備えている。画像処理部１１０は、画像処理を実行するコントローラ制御ＣＰＵ（Central Processing Unit）１１１と、ＬＡＮに接続するＬＡＮインタフェース（図４５では「LAN I/F」と記載）１１２と、生成された画像データなどを記憶する画像メモリ１１３と、画像メモリ１１３へのデータの入出力や画像データの本体部１２０への転送を行うＤＲＡＭ（Dynamic Random Access Memory）制御部１１４とを備えている。
【００３１】
本体部１２０は、プリンタ部１３０、制御部１４０および操作部１６０を含んで構成される。
プリンタ部１３０は画像データに応じてオン／オフされて、感光ドラムにレーザー光を照射するＬＤ（Laser Diode）１３１およびプリンタ部１３０全体の動作を制御するプリンタ制御部１３２を含んで構成される。この他に、プリンタ部１３０は、給紙用のトレイ、用紙の搬送機構、トレイの開閉センサ、画像が形成された用紙に対してソートやパンチ穴開けなどの処理を行う用紙処理部などを備えるが、図示していない。
【００３２】
操作部１６０は、液晶ディスプレイ（図４５ではＬＣＤと記載）１６１と、操作制御部１６２Ｚと、操作記憶部１６３Ｚとを含んで構成される。液晶ディスプレイ１６１は、その画面上にタッチパネルが装着されており、各種（操作）画面を表示するとともに、利用者がタッチした位置を検出する。
【００３３】
操作制御部１６２Ｚは、ＣＰＵから構成され、液晶ディスプレイ１６１の画面に、画像形成装置１００Ｚの状態や設定内容、印刷ジョブの情報、各種ボタンを含む各種画面を表示する。また、 操作部１６０は、利用者の操作を受け付け、操作に応じて指定された印刷ジョブの出力などを制御部１４０に指示する。操作記憶部１６３Ｚは、ＲＡＭ（Random Access Memory）、ＲＯＭ（Read Only Memory）またはフラッシュメモリなどの記憶デバイスから構成される。
【００３４】
制御部１４０は、本体部１２０の動作を制御し、ＤＲＡＭ制御部１４１、圧縮ＩＣ（Integrated Circuit）１４２、読み取り処理部１４３、伸長ＩＣ１４４、書き込み処理部１４５、画像制御ＣＰＵ１４６、不揮発メモリ１４７および画像メモリ１５０を含んで構成される。
【００３５】
ＤＲＡＭ制御部１４１は、画像メモリ１５０への入出力や画像処理部１１０のＤＲＡＭ制御部１１４からの画像データを受信する。なお、ＤＲＡＭ制御部１１４，１４１は、ＰＣＩ（Peripheral Component Interconnect）バス１０９で接続されている。
圧縮ＩＣ１４２は画像データを圧縮し、伸長ＩＣ１４４は圧縮された画像データを元の画像データに伸長する。画像メモリ１５０は、圧縮ＩＣ１４２により圧縮された画像データを記憶する圧縮メモリ１５１と、非圧縮の画像データをページ単位で記憶するページメモリ１５２とを備える。
【００３６】
読み取り処理部１４３は、画像データに対して拡大処理、鏡像処理などを行う。書き込み処理部１４５は、圧縮メモリ１５１から読み出され、伸長ＩＣ１４４にて伸長された画像データに応じてＬＤ１３１をオン／オフさせるための信号を、プリンタ部１３０の動作に応じたタイミングで出力する。
【００３７】
画像制御ＣＰＵ１４６は、ＣＰＵから構成され、本体部１２０を制御する。不揮発メモリ１４７は、画像形成装置１００Ｚの電源オフ後も記憶されるユーザデータやシステムデータなどが記憶される記憶デバイスである。
【００３８】
≪従来技術：画面遷移≫
図４６は、従来技術における画面遷移を説明するための図である。図４６を参照しながら、図４７〜図５３に示す画面間の遷移を説明する。
【００３９】
機械状態トップ画面９００（後記する図４７参照）の用紙設定ボタン９０７が押下（タッチ、タップ）されると用紙設定画面９１０（後記する図４８参照）に遷移する。用紙設定画面９１０の設定変更ボタン９１４が押下されると個別設定変更画面９２０（後記する図４９参照）に遷移する。個別設定変更画面９２０のエキスパート調整ボタン９２５が押下されるとエキスパート調整画面９３０（後記する図５０参照）に遷移する。エキスパート調整画面９３０で、用紙設定が行われる。
【００４０】
エキスパート調整画面９３０のＯＫボタン９３７またはキャンセルボタン９３６が押下されると個別設定変更画面９２０に戻る。個別設定変更画面９２０のＯＫボタン９２７またはキャンセルボタン９２６が押下されると用紙設定画面９１０に戻る。用紙設定画面９１０の閉じるボタン９１６が押下されると機械状態トップ画面９００に戻る。
【００４１】
続いて、機械状態トップ画面９００のジョブリストタブ９０２が押下されると一時保存ジョブリスト画面９４０（後記する図５１参照）に遷移する。一時保存ジョブリスト画面９４０中央に配置されるジョブリストの１つが選択されて、ジョブチケットボタン９４３が押下されるとジョブチケット編集画面９５０（後記する図５２参照）に遷移する。ジョブチケット編集画面９５０のサンプル出力ボタン９５４が押下されるとサンプル出力画面９６０（後記する図５３参照）に遷移する。
【００４２】
サンプル出力画面９６０のＯＫボタン９６３が押下されると、サンプル出力（印刷）されてジョブチケット編集画面９５０に戻る。キャンセルボタン９６２が押下されてもジョブチケット編集画面９５０に戻る。ジョブチケット編集画面９５０のＯＫボタン９５６またはキャンセルボタン９５５が押下されると一時保存ジョブリスト画面９４０に戻る。一時保存ジョブリスト画面９４０の機械状態タブ９４７が押下されると機械状態トップ画面９００に戻る。
【００４３】
≪従来技術：機械状態トップ画面≫
図４７は、従来技術における機械状態トップ画面９００の画面構成を示す図である。機械状態タブ９０１が押下されると、機械状態トップ画面９００が表示される。画面上部には、画像形成装置の状態が表示されるメッセージ表示領域９０３が配置されている。ジョブリスト９０４には、画像形成装置が蓄積しているジョブ（印刷ジョブ）が表示される。補給／廃棄部材表示領域９０５には、トナーやステープル（ステープラ用針）、パンチくず箱の状態が表示される。トレイ情報表示領域９０６には、トレイごとに設定された用紙のサイズや名称、坪量が表示される。
【００４４】
画面下側にある用紙設定ボタン９０７が押下されると、機械状態トップ画面９００から用紙設定画面９１０（後記する図４８参照）に遷移する。
【００４５】
≪従来技術：用紙設定画面≫
図４８は、従来技術における用紙設定画面９１０の画面構成を示す図である。画面名称表示領域９１１には、表示中の画面の名称が「用紙設定」であることが示されている。用紙設定画面９１０の左側に配置されているトレイ１〜トレイ６のトレイボタンのなかで、トレイ１のトレイボタン９１２が強調されて表示されており、用紙設定内容表示領域９１３にトレイ１の設定内容が表示されていることを示している。設定の内容として、用紙設定のプロファイルである用紙プロファイル、用紙サイズ、用紙名称（用紙種類）、坪量、色、パンチ穴の有無、表面と裏面の印刷位置調整などがある。
【００４６】
設定変更ボタン９１４が押下されると、用紙設定画面９１０から個別設定変更画面９２０（後記する図４９参照）に遷移する。図４８ではトレイ１が選択されており、トレイ１の個別設定変更画面９２０に遷移する。新規設定ボタン９１５が押下されると、設定内容の初期値が表示される。閉じるボタン９１６が押下されると、機械状態トップ画面９００（図４７参照）に戻る。
【００４７】
≪従来技術：個別設定変更画面≫
図４９は、従来技術における個別設定変更画面９２０の画面構成を示す図である。画面名称表示領域９２１には、表示中の画面の名称が「個別設定変更」であることが示されている。個別設定変更画面９２０の左側に配置されている設定項目領域９２２には、設定項目ボタンが表示される。図４９では、「用紙種類」の設定項目ボタン９２３が選択されており、個別設定変更画面９２０の右側に「用紙種類」の設定値一覧９２４が表示されている。図４９では、「用紙種類」の設定値一覧９２４のなかで、「普通紙」が設定値として選択されている。
【００４８】
設定項目領域９２２のなかのエキスパート調整ボタン９２５が押下されると、個別設定変更画面９２０からエキスパート調整画面９３０（後記する図５０参照）に遷移する。キャンセルボタン９２６が押下されると、個別設定変更画面９２０において設定された内容が反映されることなく用紙設定画面９１０に戻る。ＯＫボタン９２７が押下されると、個別設定変更画面９２０において設定された内容が反映されて用紙設定画面９１０に戻る。
【００４９】
エキスパート調整ボタン９２５に上にある左向きの三角ボタンと右向けの三角ボタンが押下されることで、設定項目領域９２２が切り替わり、異なる設定項目を設定することができる。なお、図４９では、左向きの三角ボタンと右向けの三角ボタンとの間に「１／３」と表示されており、「用紙種類」などを含む設定項目領域９２２は、３つある設定項目領域のなかで第１の設定項目領域であることがわかる。
【００５０】
≪従来技術：エキスパート調整画面≫
図５０は、従来技術におけるエキスパート調整画面９３０の画面構成を示す図である。画面名称表示領域９３１には、表示中の画面の名称が「エキスパート調整」であることが示されている。エキスパート調整画面９３０では、２次転写出力が調整（設定）可能である。調整項目領域９３２には、調整項目と設定値が表示される。図５０では、２次転写出力に関する調整項目と設定値が表示されており、オモテ面の２次転写出力調整ボタン９３３が選択されている。調整項目領域９３２の右側のテンキーを操作することにより設定値を変更することが可能である。
【００５１】
前頁ボタン９３４および次頁ボタン９３５が押下されると、調整項目領域９３２に表示される調整項目が切り替わる。調整項目には、２次転写出力の他に、総トナー量上限制御、トレイ別濃度調整、出力紙さばき設定などがあり、前頁ボタン９３４および次頁ボタン９３５を押下して画面を切り替えて調整（設定）可能である。キャンセルボタン９３６が押下されると、エキスパート調整画面９３０において設定された内容が反映されることなく個別設定変更画面９２０に戻る。ＯＫボタン９３７が押下されると、エキスパート調整画面９３０において設定された内容が反映されて個別設定変更画面９２０に戻る。
【００５２】
≪従来技術：一時保存ジョブリスト画面≫
図５１は、従来技術における一時保存ジョブリスト画面９４０の画面構成を示す図である。ジョブリストタブ９４８，９０２（図４７参照）が押下されると、一時保存ジョブリスト画面９４０が表示される。画面名称表示領域９４１には、表示中の画面の名称が「一時保存ジョブリスト」であることが示されている。一時保存ジョブリスト画面９４０の中央に画像形成装置に蓄積されている印刷ジョブの一覧が表示されており、図５１では、ファイル名が「aaa.pdf」であるジョブが選択されている。選択ジョブ表示領域９４２には、選択されたジョブのサムネイルが表示される。
【００５３】
画面右側にあるジョブチケットボタン９４３が押下されると、一時保存ジョブリスト画面９４０からジョブチケット編集画面９５０（後記する図５２参照）に遷移する。画面右側にあるページ編集ボタン９４４が押下されると、一時保存ジョブリスト画面９４０から画像ページ編集画面（不図示）に遷移する。画面下側にある出力時ジョブ削除ボタン９４５が押下されると、選択されたジョブが出力（印刷）され、ジョブが削除される。出力ボタン９４６が押下されると、選択されたジョブが出力される。
【００５４】
≪従来技術：ジョブチケット編集画面≫
図５２は、従来技術におけるジョブチケット編集画面９５０の画面構成を示す図である。画面名称表示領域９５２には、表示中の画面の名称が「ジョブチケット編集」であることが示されている。ジョブチケット編集画面９５０左側の設定項目領域９５１には、一時保存ジョブリスト画面９４０（図５１参照）で選択されたジョブについて、「部数」や「閉じ方向」などジョブに関する設定項目と設定値が表示されている。ジョブチケット編集画面９５０右側の設定項目領域９５３には、一時保存ジョブリスト画面９４０で選択されたジョブに含まれるページ（シート）について、「用紙サイズ」や「排紙トレイ」などページに関する設定項目と設定値が表示されている。なお、設定対象として選択されたページのサムネイルが、ジョブチケット編集画面９５０の中央に表示されている。設定項目領域９５１，９５３の設定項目を選択すると設定値を変更することが可能になる。
【００５５】
画面下側にあるサンプル出力ボタン９５４が押下されると、ジョブチケット編集画面９５０から、変更された設定を確認するために印刷ジョブを出力するサンプル出力画面９６０（後記する図５３参照）に遷移する。キャンセルボタン９５５が押下されると、変更された設定が反映されることなく一時保存ジョブリスト画面９４０（図５１参照）に戻る。ＯＫボタン９５６が押下されると、変更された設定を反映して一時保存ジョブリスト画面９４０に戻る。
【００５６】
≪従来技術：サンプル出力画面≫
図５３は、従来技術におけるサンプル出力画面９６０の画面構成を示す図である。サンプル出力画面９６０中央に、出力条件を設定する出力条件設定領域９６１が配置される。出力条件としては、１部出力、ジョブチケット編集画面９５０（図５２参照）において選択されてサムネイルが表示されているページ（シート）の出力、指定したページの出力がある。
【００５７】
出力条件設定領域９６１下側にあるキャンセルボタン９６２が押下されると、印刷ジョブが出力されることなく、ジョブチケット編集画面９５０に戻る。ＯＫボタン９６３が押下されると、印刷ジョブが出力されて、ジョブチケット編集画面９５０に戻る。
【００５８】
≪従来技術：エキスパート調整で設定してのサンプル出力するときの課題≫
従来技術におけるエキスパート調整画面９３０で用紙設定を反映したサンプル出力を実行するときの操作について、図４６を参照しながら説明する。利用者は、機械状態トップ画面９００で用紙設定ボタン９０７を押下して用紙設定画面９１０に遷移する。次に、利用者は、用紙設定画面９１０でトレイを選択した後に設定変更ボタン９１４を押下して個別設定変更画面９２０に遷移する。続いて、利用者は、個別設定変更画面９２０でエキスパート調整ボタン９２５を押下してエキスパート調整画面９３０に遷移する。
【００５９】
エキスパート調整画面９３０で設定を行った後に、利用者はＯＫボタン９３７を押下して個別設定変更画面９２０に戻り、次に、個別設定変更画面９２０のＯＫボタン９２７を押下して用紙設定画面９１０に戻り、続いて、用紙設定画面９１０の閉じるボタン９１６を押下して機械状態トップ画面９００に戻る。
【００６０】
利用者は、機械状態トップ画面９００のジョブリストタブ９０２を押下して一時保存ジョブリスト画面９４０に移り、次に、一時保存ジョブリスト画面９４０で印刷ジョブを選択した後にジョブチケットボタン９４３を押下してジョブチケット編集画面９５０に移り、続いて、ジョブチケット編集画面９５０のサンプル出力ボタン９５４を押下してサンプル出力画面９６０に移動する。
【００６１】
利用者は、サンプル出力画面９６０のＯＫボタンを押下してジョブを出力し、印刷状態を見て、エキスパート調整画面９３０での設定内容を確認する。確認の結果、再設定が必要ならば、利用者は、ジョブチケット編集画面９５０のＯＫボタン９５６を押下して一時保存ジョブリスト画面９４０に戻り、一時保存ジョブリスト画面９４０の機械状態タブ９４７を押下して機械状態トップ画面９００に戻る。利用者は、ボタン押下を繰り返しながら、機械状態トップ画面９００から、用紙設定画面９１０、個別設定変更画面９２０、エキスパート調整画面９３０と移動して、エキスパート調整画面９３０で再設定を行う。
【００６２】
上記したエキスパート調整画面９３０とサンプル出力画面９６０との間の移動は、再設定またはサンプル出力を実行するたびに繰り返す必要があり、操作が煩わしい。
上記の煩わしい操作を解消する機能として、画面に設定する栞の機能がある。画像形成装置が栞機能を備えていれば、一時保存ジョブリスト画面９４０に栞を設定して、エキスパート調整画面９３０から一時保存ジョブリスト画面９４０に移動することができる。
【００６３】
しかしながら、従来技術の栞機能では、動的に生成されるジョブに対するジョブチケット編集画面９５０やサンプル出力画面９６０に栞を設定することはできない。利用者は、一時保存ジョブリスト画面９４０でジョブを選択してジョブチケットボタン９４３を押下してジョブチケット編集画面９５０に遷移して、次に、ジョブチケット編集画面９５０でサンプル出力ボタン９５４を押下して、サンプル出力画面９６０に移動する必要がある。特定のページをサンプル出力する場合には、利用者は、当該ページを指定する必要もある。
【００６４】
エキスパート調整画面９３０に設定する栞については、複数のトレイそれぞれに対する栞が必要である。また、エキスパート調整に関しては、図５０に示される調整項目以外の調整項目を設定する画面（図４９のエキスパート調整ボタン９２５の上に配置された左向きの三角ボタン、右向けの三角ボタン、図５０の前頁ボタン９３４、次頁ボタン９３５を参照）があり、それぞれに栞が必要となる。さらに、個別設定変更画面９２０でも用紙設定が可能であり、利用者は、個別設定変更画面９２０とサンプル出力画面９６０との間の移動を繰り返しながら、再設定またはサンプル出力を実行する場合もある。このため、複数のトレイそれぞれに対応した個別設定変更画面９２０にも栞が必要となる。結果として、栞の数が（トレイの数）×（個別設定変更画面やエキスパート調整画面の数）となり、利用者は、栞の選択に手間取ったり、間違った栞を選択しているのに気が付かず、設定対象ではないトレイの設定を繰り返したりするという問題が生じる。
【００６５】
≪第１の実施形態：画像形成装置の構成≫
図１は、第１の実施形態に係る画像形成装置１００の機能構成を例示するブロック図である。画像形成装置１００と従来技術における画像形成装置１００Ｚとは、操作制御部１６２，１６２Ｚおよび操作記憶部１６３，１６３Ｚを除いて、同様の構成である。
操作制御部１６２は、後記する図１０、図１１、図１２に示される処理を実行する。操作記憶部１６３は、調整画面栞１７０とジョブ栞１８０とを記憶する。
【００６６】
調整画面栞１７０には、後記する個別設定変更画面２２０の確認プリントボタン２２８（図５参照）やエキスパート調整画面２３０の確認プリントボタン２３８（図６参照）が押下されたときに、当該画面の識別情報が設定される。ジョブ栞１８０には、後記するサンプル出力画面２６０のＯＫボタン２６３（図９参照）が押下されたときに、サンプル出力対象の印刷ジョブの情報（ジョブや出力したページ（シート）の識別情報）が設定される。
【００６７】
≪第１の実施形態：画面遷移≫
図２は、第１の実施形態における画面遷移を説明するための図である。図２および従来技術の画面遷移（図４６参照）を参照しながら、図３〜図９に示す画面間の遷移を説明する。
【００６８】
機械状態トップ画面２００（後記する図３参照）の用紙設定ボタン２０７が押下されると用紙設定画面２１０（後記する図４参照）に遷移する。用紙設定画面２１０の設定変更ボタン２１４が押下されると個別設定変更画面２２０（後記する図５参照）に遷移する。個別設定変更画面２２０のエキスパート調整ボタン２２５が押下されるとエキスパート調整画面２３０（後記する図６参照）に遷移する。エキスパート調整画面２３０で、用紙設定が行われる。ここまでは、従来技術と同様である。
【００６９】
エキスパート調整画面２３０の確認プリントボタン２３８が押下されると一時保存ジョブリスト画面２４０（後記する図７参照）に遷移する。個別設定変更画面２２０の確認プリントボタン２２８が押下されも一時保存ジョブリスト画面２４０に遷移する。
従来技術では、ＯＫボタンや閉じるボタンを押下しながら機械状態トップ画面９００に戻って、ジョブリストタブ９０２が押下されて一時保存ジョブリスト画面９４０に遷移していた。
【００７０】
続いて、一時保存ジョブリスト画面２４０中央に配置されるジョブリストの１つが選択されて、ジョブチケットボタン２４３が押下されるとジョブチケット編集画面２５０（後記する図８参照）に遷移する。ジョブチケット編集画面２５０のサンプル出力ボタン２５４が押下されるとサンプル出力画面２６０（後記する図９参照）に遷移する。
【００７１】
サンプル出力画面２６０のＯＫボタン２６３が押下されると、サンプル出力されてジョブチケット編集画面２５０に戻る。ジョブチケット編集画面２５０で機械状態タブ２５７が押下されると、確認プリントボタン２２８，２３８が押下された個別設定変更画面２２０またはエキスパート調整画面２３０に戻る。
従来技術では、ジョブチケット編集画面９５０から一時保存ジョブリスト画面９４０、機械状態トップ画面９００、用紙設定画面９１０、個別設定変更画面９２０、エキスパート調整画面９３０と遷移していた。
【００７２】
≪第１の実施形態：操作画面≫
図３は、第１の実施形態に係る機械状態トップ画面２００の画面構成を示す図である。従来技術における機械状態トップ画面９００（図４７参照）と同様の画面構成である。
図４は、第１の実施形態に係る用紙設定画面２１０の画面構成を示す図である。従来技術における用紙設定画面９１０（図４８参照）と同様の画面構成である。
【００７３】
図５は、第１の実施形態に係る個別設定変更画面２２０の画面構成を示す図である。画面下側に配置される確認プリントボタン２２８を除いて、従来技術における個別設定変更画面９２０（図４９参照）と同様の画面構成である。確認プリントボタン２２８が押下されると、後記する一時保存ジョブリスト画面２４０（図７参照）に遷移する。
【００７４】
図６は、第１の実施形態に係るエキスパート調整画面２３０の画面構成を示す図である。画面下側に配置される確認プリントボタン２３８を除いて、従来技術におけるエキスパート調整画面９３０（図５０参照）と同様の画面構成である。確認プリントボタン２３８が押下されると、後記する一時保存ジョブリスト画面２４０に遷移する。
【００７５】
図７は、第１の実施形態に係る一時保存ジョブリスト画面２４０の画面構成を示す図である。従来技術における一時保存ジョブリスト画面９４０（図５１参照）と同様の画面構成である。
図８は、第１の実施形態に係るジョブチケット編集画面２５０の画面構成を示す図である。従来技術におけるジョブチケット編集画面９５０（図５２参照）と同様の画面構成である。
図９は、第１の実施形態に係るサンプル出力画面２６０の画面構成を示す図である。従来技術におけるサンプル出力画面９６０（図５３参照）と同様の画面構成である。
【００７６】
≪第１の実施形態：個別設定変更画面とエキスパート調整画面での処理≫
図１０は、第１の実施形態に係る、確認プリントボタン２２８，２３８（図５、図６参照）が押下されたときの、操作制御部１６２の処理を示すフローチャートである。図１０を参照しながら、個別設定変更画面２２０の確認プリントボタン２２８（図５参照）およびエキスパート調整画面２３０の確認プリントボタン２３８（図６参照）が押下されたときの処理内容を説明する。
【００７７】
ステップＳ１０１において、操作制御部１６２は、確認プリントボタン２２８，２３８の押下を検知する。
ステップＳ１０２において、操作制御部１６２は、現在の画面の識別情報を調整画面栞１７０に設定する。詳しくは、操作制御部１６２は、個別設定変更画面２２０が表示されているときに確認プリントボタン２２８が押下された場合には、個別設定変更画面２２０の識別情報を調整画面栞１７０に設定する。また、操作制御部１６２は、エキスパート調整画面２３０が表示されているときに確認プリントボタン２３８が押下された場合には、エキスパート調整画面２３０の識別情報を調整画面栞１７０に設定する。
【００７８】
なお、調整画面栞１７０には、前頁ボタン２３４と次頁ボタン２３５とで切り替え可能な複数あるエキスパート調整画面のなかのどのエキスパート調整画面かを示す識別情報を含めてもよい。また、個別設定変更画面２２０において、左向きの三角ボタンと右向けの三角ボタンとで切り替え可能な設定項目領域のなかのどの設定項目領域を表示する個別設定変更画面かを示す識別情報を含めてもよい。
【００７９】
ステップＳ１０３において、操作制御部１６２は、ジョブ栞１８０にサンプル出力されたジョブの情報が設定済みならば（ステップＳ１０３→Ｙ）ステップＳ１０４に進み、未設定ならば（ステップＳ１０３→Ｎ）ステップＳ１０５に進む。図２において、個別設定変更画面２２０またはエキスパート調整画面２３０に遷移した時点では、サンプル出力していないためジョブ栞１８０は未設定であり、ステップＳ１０５に進む。サンプル出力した後にはジョブ栞１８０に当該ジョブの情報が設定されているため（後記する図１１のステップＳ１１３参照）ステップＳ１０４に進む。
【００８０】
ステップＳ１０４において、操作制御部１６２は、ジョブ栞１８０の設定内容に対応するジョブのサンプル出力画面２６０（図９参照）に遷移する。詳しくは、ジョブ栞１８０に設定されている印刷ジョブを１部出力する、または、ジョブ栞１８０に印刷ジョブに加えページ（シート）も設定されていれば当該ページを出力するように設定された出力条件設定領域２６１が表示されるサンプル出力画面２６０に遷移する。
ステップＳ１０５において、操作制御部１６２は、一時保存ジョブリスト画面２４０（図７参照）に遷移する。
【００８１】
≪第１の実施形態：サンプル出力画面での処理≫
図１１は、第１の実施形態に係るサンプル出力画面２６０のＯＫボタン２６３（図９参照）が押下されたときの、操作制御部１６２の処理を示すフローチャートである。図１１を参照しながら、ジョブチケット編集画面２５０（図８参照）で選択されている印刷ジョブのサンプル出力が指示されたときの処理内容を説明する。
【００８２】
ステップＳ１１１において、操作制御部１６２は、ＯＫボタン２６３の押下を検知する。
ステップＳ１１２において、操作制御部１６２は、選択された印刷ジョブの印刷を制御部１４０（図１参照）に指示する。
【００８３】
ステップＳ１１３において、操作制御部１６２は、ステップＳ１１２で印刷された印刷ジョブの情報をジョブ栞１８０に設定する。印刷ジョブの情報は、印刷ジョブの識別情報を含む。出力条件設定領域２６１において、出力するページ（シート）が指定されている場合には、当該ページ情報も含めてジョブ栞１８０に設定する。
ステップＳ１１４において、操作制御部１６２は、ジョブチケット編集画面２５０（図８参照）に遷移する。
【００８４】
印刷ジョブがサンプル出力されると、ステップＳ１１３において当該印刷ジョブの情報がジョブ栞１８０に設定されるため、個別設定変更画面２２０の確認プリントボタン２２８（図５参照）またはエキスパート調整画面２３０の確認プリントボタン２３８（図６参照）が押下されると、サンプル出力画面２６０に遷移する（図１０のステップＳ１０３→Ｙ、Ｓ１０４参照）。
【００８５】
≪第１の実施形態：一時保存ジョブリスト画面ジョブチケット編集画面での処理≫
図１２は、第１の実施形態に係る一時保存ジョブリスト画面２４０やジョブチケット編集画面２５０の機械状態タブ２４７，２５７（図７、図８参照）が押下されたときの、操作制御部１６２の処理を示すフローチャートである。
【００８６】
ステップＳ１２１において、操作制御部１６２は、機械状態タブ２４７，２５７の押下を検知する。
ステップＳ１２２において、操作制御部１６２は、調整画面栞１７０に個別設定変更画面２２０（図５参照）またはエキスパート調整画面２３０（図６参照）が設定済みならば（ステップＳ１２２→Ｙ）ステップＳ１２３に進み、未設定ならば（ステップＳ１２２→Ｎ）ステップＳ１２４に進む。図２において、ジョブチケット編集画面２５０の機械状態タブ２５７が押下されると、一時保存ジョブリスト画面２４０に遷移する前の画面である個別設定変更画面２２０またはエキスパート調整画面２３０の識別情報が調整画面栞１７０に設定されている（図１０のステップＳ１０２参照）ので、ステップＳ１２３に遷移する。
【００８７】
ステップＳ１２３において、操作制御部１６２は、調整画面栞１７０に識別情報が設定されている個別設定変更画面２２０またはエキスパート調整画面２３０に遷移する。
ステップＳ１２４において、操作制御部１６２は、機械状態トップ画面２００（図３参照）に遷移する。
【００８８】
≪第１の実施形態：調整画面栞とジョブ栞を参照した画面遷移処理の特徴≫
図１３〜図１８を参照しながら、第１の実施形態における画像形成装置１００における画面遷移処理の特徴を説明する。
【００８９】
図１３は、第１の実施形態に係る、機械状態トップ画面２００からエキスパート調整画面２３０まで遷移したときの画面遷移を示す図である。図１３の左側の「機械状態」の列３００は、機械状態タブのなかで、機械状態トップ画面２００から、用紙設定画面２１０、個別設定変更画面２２０、エキスパート調整画面２３０と遷移したことを示している。エキスパート調整画面２３０がハッチングされており、現時点でエキスパート調整画面２３０が表示されていることを示している。他の図（図１４〜図１８）においても、ハッチングされている画面が表示されている画面である。なお、この時点では、ジョブリストタブ２０２（図３参照）は押下されておらず、図の右側の「ジョブリスト」の列３０１は空である。
【００９０】
図１４は、第１の実施形態に係る、エキスパート調整画面２３０において確認プリントボタン２３８が押下されたときの画面遷移を示す図である。この時点では、ジョブ栞１８０は未設定であり、一時保存ジョブリスト画面２４０に遷移する（図１０のステップＳ１０３→Ｎ、Ｓ１０５参照）。エキスパート調整画面２３０が太い枠であるのは、調整画面栞１７０にエキスパート調整画面２３０が設定されている（図１０のステップＳ１０２参照）ことを示す。
【００９１】
図１５は、第１の実施形態に係る、一時保存ジョブリスト画面２４０からサンプル出力画面２６０まで遷移したときの画面遷移を示す図である。図の右側の「ジョブリスト」の列３０１は、ジョブリストタブのなかで、一時保存ジョブリスト画面２４０から、ジョブチケット編集画面２５０、サンプル出力画面２６０と遷移したことを示している。サンプル出力画面２６０がハッチングされており、現時点でサンプル出力画面２６０が表示されていることを示している。なお、調整画面栞１７０にはエキスパート調整画面２３０が設定されたままである。
【００９２】
図１６は、第１の実施形態に係る、サンプル出力画面２６０においてＯＫボタン２６３が押下されたときの画面遷移を示す図である。この時点では、ジョブチケット編集画面２５０が表示されている（図１１のステップＳ１１４参照）。サンプル出力画面２６０が太い枠であるのは、サンプル出力画面２６０において出力されたジョブの情報がジョブ栞１８０に設定されている（図１１のステップＳ１１３参照）ことを示す。
【００９３】
図１７は、第１の実施形態に係る、ジョブチケット編集画面２５０において機械状態タブ２５７が押下されたときの画面遷移を示す図である。押下される時点において、調整画面栞１７０には、エキスパート調整画面２３０が設定されているため、当該エキスパート調整画面２３０に遷移する（図１２のステップＳ１２２→Ｙ、Ｓ１２３参照）。
【００９４】
図１８は、第１の実施形態に係る、エキスパート調整画面２３０において確認プリントボタン２３８が押下されたときの画面遷移を示す図である。押下される時点において、ジョブ栞１８０には、図１６においてサンプル出力されたジョブの情報が設定されているため、当該サンプル出力画面２６０に遷移する（図１０のステップＳ１０３→Ｙ、Ｓ１０４参照）。
【００９５】
サンプル出力をする前にエキスパート調整画面２３０の確認プリントボタン２３８が押下されたときには一時保存ジョブリスト画面２４０に遷移する（図１３、図１４参照）が、ジョブのサンプル出力後に確認プリントボタン２３８が押下されたときには当該ジョブのサンプル出力画面２６０に遷移する（図１７、図１８参照）。また、サンプル出力後にジョブチケット編集画面２５０において機械状態タブ２５７が押下されるとエキスパート調整画面２３０に遷移する（図１６、図１７参照）。
【００９６】
利用者は、確認プリントボタン２３８と機械状態タブ２５７とを押下することで、エキスパート調整画面２３０とサンプル出力画面２６０との間を移動できる。これは、個別設定変更画面２２０の確認プリントボタン２２８でも同様であって、従来技術（図４６参照）と比較して、利用者がボタンを選択して押下する手間が減少しており、操作性が向上している。サンプル出力しながら用紙設定を繰り返す場合、画面間を移動する時間を大きく短縮することができる。また、設定するトレイを間違う、サンプル出力するジョブやページを間違うなどの操作ミスをなくすことができる。
【００９７】
≪第１の実施形態：変形例１：サンプル出力画面から用紙設定画面への遷移≫
図２で説明したように、上記した実施形態の画像形成装置１００では、サンプル出力画面２６０のＯＫボタン２６３が押下され、ジョブチケット編集画面２５０に遷移した後に、機械状態タブ２５７が押下されて、エキスパート調整画面２３０に遷移している。サンプル出力後にジョブチケット編集画面２５０に遷移することなく、エキスパート調整画面２３０に遷移するようにしてもよい。
【００９８】
図１９は、第１の実施形態の変形例１に係る画面遷移を説明するための図である。サンプル出力画面２６０でＯＫボタン２６３が押下されて場合、個別設定変更画面２２０またはエキスパート調整画面２３０に遷移する。なお、個別設定変更画面２２０とエキスパート調整画面２３０とを総称して用紙設定画面または調整画面とも記す。
【００９９】
図２０は、第１の実施形態の変形例１に係るサンプル出力画面２６０のＯＫボタン２６３（図９参照）が押下されたときの、操作制御部１６２の処理を示すフローチャートである。図２０は、図１１に替わる処理である。
ステップＳ２０１〜Ｓ２０３は、図１１のステップＳ１１１〜Ｓ１１３とそれぞれ同様である。
【０１００】
ステップＳ２０４において、操作制御部１６２は、調整画面栞１７０に個別設定変更画面２２０またはエキスパート調整画面２３０の識別情報が設定済みならば（ステップＳ２０４→Ｙ）ステップＳ２０５に進み、未設定ならば（ステップＳ２０４→Ｎ）ステップＳ２０６に進む。
【０１０１】
ステップＳ２０５において、操作制御部１６２は、調整画面栞１７０に識別情報が設定されている個別設定変更画面２２０またはエキスパート調整画面２３０に遷移する。
ステップＳ２０６において、操作制御部１６２は、ジョブチケット編集画面２５０に遷移する。
【０１０２】
図２１は、第１の実施形態の変形例１に係る、サンプル出力画面２６０においてＯＫボタン２６３が押下されたときの画面遷移を示す図である。第１の実施形態においては、図１５、図１６で説明したように、サンプル出力画面２６０においてＯＫボタン２６３が押下されたときには、ジョブチケット編集画面２５０に遷移している。変形例１では、図２１に示すように、エキスパート調整画面２３０に遷移する。利用者は、ジョブチケット編集画面２５０で機械状態タブ２５７を押下することなく、サンプル出力の直後にエキスパート調整画面２３０に戻り、再設定することができる。
【０１０３】
≪第２の実施形態≫
上記した第１の実施形態では、調整画面栞１７０とジョブ栞１８０とは、トレイ１〜トレイ６共通であった。個別設定変更画面２２０やエキスパート調整画面２３０は、トレイごとにあるのでトレイごとに調整画面栞やジョブ栞を設けてもよい。
【０１０４】
図２２は、第２の実施形態に係る画像形成装置１００Ａの機能構成を例示するブロック図である。図１に示した第１の実施形態に係る画像形成装置１００と比較して、操作部１６０Ａの構成が異なる。画像処理部１１０、本体部１２０のプリンタ部１３０および制御部１４０は、第１の実施形態に係る画像形成装置１００と同様であって、その内部の構成を図示していない。
【０１０５】
操作部１６０Ａは、液晶ディスプレイ１６１、操作制御部１６２Ａおよび操作記憶部１６３Ａを含んで構成される。液晶ディスプレイ１６１は、第１の実施形態に係る画像形成装置１００と同様である。操作制御部１６２Ａについては、確認プリントボタン２２８，２３８が押下されたときの処理、一時保存ジョブリスト画面２４０やジョブチケット編集画面２５０の機械状態タブ２４７，２５７が押下されたときの処理および用紙設定画面２１０でトレイ１〜トレイ６のトレイボタンが押下されたときの処理が異なり、後記する図２３〜図２６を参照してそれぞれ説明する。
【０１０６】
操作記憶部１６３Ａは、トレイ１〜トレイ６それぞれに係るトレイ１調整画面栞１７１〜トレイ６調整画面栞１７６、トレイ１〜トレイ６それぞれに係るトレイ１ジョブ栞１８１〜トレイ６ジョブ栞１８６および現在トレイ１９０を記憶する。トレイ１調整画面栞１７１〜トレイ６調整画面栞１７６には、それぞれトレイ１〜トレイ６の個別設定変更画面（図５のトレイ１の個別設定変更画面２２０参照）の確認プリントボタンやエキスパート調整画面（図６のトレイ１のエキスパート調整画面２３０参照）の確認プリントボタンが押下されたときの画面の識別情報が設定される。トレイ１ジョブ栞１８１〜トレイ６ジョブ栞１８６には、トレイ１〜トレイ６の用紙設定に対する確認に用いられる印刷ジョブの情報が設定される。現在トレイ１９０は、用紙設定の対象となるトレイの識別情報が設定される。
第２の実施形態の画面は、第１の実施形態の画面（図３〜図９参照）と同様である。
【０１０７】
≪第２の実施形態：個別設定変更画面とエキスパート調整画面での処理≫
図２３は、第２の実施形態に係る、確認プリントボタン２２８，２３８（図５、図６参照）が押下されたときの、操作制御部１６２Ａの処理を示すフローチャートである。図２３を参照しながら、個別設定変更画面２２０の確認プリントボタン２２８（図５参照）およびエキスパート調整画面２３０の確認プリントボタン２３８（図６参照）が押下されたときの処理内容を説明する。
なお、以下の説明で「トレイＮ」は、トレイ１〜トレイ６の何れかのトレイをさす。
【０１０８】
ステップＳ３０１において、操作制御部１６２Ａは、トレイＮに係る個別設定変更画面またはエキスパート調整画面の確認プリントボタンの押下を検知する。ここで、個別設定変更画面２２０およびエキスパート調整画面２３０は、用紙設定画面２１０（図４参照）の左側に配置されているトレイ１〜トレイ６のトレイボタンのなかで、トレイ１のトレイボタン２１２が押下されて遷移する画面である。個別設定変更画面２２０の左側に配置されている設定項目領域２２２の上部に「設定変更  トレイ１」と表示されており、トレイ１に係る個別設定変更画面２２０であることがわかる。また、エキスパート調整画面２３０の調整項目領域２３２の上部に「トレイ１  エキスパート調整」と表示されており、トレイ１に係るエキスパート調整画面２３０であるとわかる。
【０１０９】
ステップＳ３０２において、操作制御部１６２Ａは、現在の画面の識別情報をトレイ１調整画面栞１７１に設定する。詳しくは、操作制御部１６２Ａは、個別設定変更画面２２０が表示されているときに確認プリントボタン２２８が押下された場合には、個別設定変更画面２２０の識別情報をトレイ１調整画面栞１７１に設定する。また、トレイ１の操作制御部１６２Ａは、トレイ１のエキスパート調整画面２３０が表示されているときに確認プリントボタン２３８が押下された場合には、エキスパート調整画面２３０の識別情報をトレイ１調整画面栞１７１に設定する。
【０１１０】
なお、トレイ１調整画面栞１７１には、前頁ボタン２３４と次頁ボタン２３５とで切り替え可能な複数あるエキスパート調整画面のなかのどのエキスパート調整画面かを示す識別情報を含めてもよい。また、個別設定変更画面２２０において、左向きの三角ボタンと右向けの三角ボタンとで切り替え可能な設定項目領域のなかのどの設定項目領域を表示する個別設定変更画面かを示す識別情報を含めてもよい。
【０１１１】
なお、上記で画面の識別情報がトレイ１調整画面栞１７１に設定されたのは、現在の画面がトレイ１に係る個別設定変更画面２２０またはエキスパート調整画面２３０であるからである。例えば、現在の画面がトレイ２に係る個別設定変更画面またはエキスパート調整画面であるならば、トレイ２調整画面栞１７２に設定する。他のトレイについても同様であり、個別設定変更画面またはエキスパート調整画面が係るトレイに応じて、トレイ１調整画面栞１７１〜トレイ６調整画面栞１７６の何れかに設定する。
【０１１２】
ステップＳ３０３において、操作制御部１６２Ａは、用紙設定の対象となっているトレイＮの識別情報を現在トレイ１９０に設定する。例えば、ステップＳ３０１においてトレイ３の個別設定変更画面の確認プリントボタンが押下されたならば、トレイ３の識別情報を現在トレイ１９０に設定する。
【０１１３】
ステップＳ３０４において、操作制御部１６２Ａは、トレイＮのジョブ栞にサンプル出力されたジョブの情報が設定済みならば（ステップＳ３０４→Ｙ）ステップＳ３０５に進み、未設定ならば（ステップＳ３０４→Ｎ）ステップＳ３０６に進む。例えば、ステップＳ３０１においてトレイ３の個別設定変更画面の確認プリントボタンが押下されたならば、トレイ３ジョブ栞１８３が設定済みか否かに応じて、操作制御部１６２Ａは、ステップＳ３０５またはステップＳ３０６に進む。
【０１１４】
ステップＳ３０５において、操作制御部１６２Ａは、トレイＮのジョブ栞の設定内容に対応するジョブのサンプル出力画面２６０（図９参照）に遷移する。例えば、ステップＳ３０１においてトレイ４の個別設定変更画面の確認プリントボタンが押下されたならば、トレイ４ジョブ栞１８４に設定されているジョブを１部出力する、または、トレイ４ジョブ栞１８４にジョブに加えページ（シート）も設定されていれば当該ページを出力するように設定された出力条件設定領域２６１が表示されるサンプル出力画面２６０に遷移する。
ステップＳ３０６において、操作制御部１６２Ａは、一時保存ジョブリスト画面２４０（図７参照）に遷移する。
【０１１５】
≪第２の実施形態：サンプル出力画面での処理≫
図２４は、第２の実施形態に係るサンプル出力画面２６０のＯＫボタン２６３（図９参照）が押下されたときの、操作制御部１６２Ａの処理を示すフローチャートである。図２４を参照しながら、ジョブチケット編集画面２５０（図８参照）で選択されているジョブのサンプル出力が指示されたときの処理内容を説明する。
【０１１６】
ステップＳ３１１〜Ｓ３１２は、図１１のステップＳ１１１〜Ｓ１１２とそれぞれ同様の処理である。
ステップＳ３１３において、操作制御部１６２Ａは、現在トレイ１９０が設定済みならば（ステップＳ３１３→Ｙ）ステップＳ３１４に進み、未設定ならば（ステップＳ３１３→Ｎ）ステップＳ３１５に進む。なお、現在トレイ１９０は、図２３のステップＳ３０３で設定される。
【０１１７】
ステップＳ３１４において、操作制御部１６２Ａは、ステップＳ３１２で印刷された印刷ジョブの情報を現在トレイ１９０に設定されているトレイに関連付けられたジョブ栞に設定する。例えば、現在トレイ１９０にトレイ５の識別情報が設定されていればトレイ５ジョブ栞１８５に設定する。印刷ジョブの情報は、印刷ジョブの識別情報を含む。出力条件設定領域２６１において、出力するページ（シート）が指定されている場合には、当該ページ情報も含めてジョブ栞に設定する。
ステップＳ３１５において、操作制御部１６２Ａは、ジョブチケット編集画面２５０に遷移する。
【０１１８】
印刷ジョブがサンプル出力されると、ステップＳ３１４において当該印刷ジョブの情報がジョブ栞に設定されるため、個別設定変更画面２２０の確認プリントボタン２２８（図５参照）またはエキスパート調整画面２３０の確認プリントボタン２３８（図６参照）が押下されると、サンプル出力画面２６０に遷移する（図２３のステップＳ３０４→Ｙ、Ｓ３０５参照）。
【０１１９】
≪第２の実施形態：一時保存ジョブリスト画面とジョブチケット編集画面とでの処理≫
図２５は、第２の実施形態に係る一時保存ジョブリスト画面２４０（図７参照）やジョブチケット編集画面２５０（図８参照）の機械状態タブ２４７，２５７が押下されたときの、操作制御部１６２Ａの処理を示すフローチャートである。
【０１２０】
ステップＳ３２１において、操作制御部１６２Ａは、機械状態タブ２４７，２５７の押下を検知する。
ステップＳ３２２において、操作制御部１６２Ａは、機械状態トップ画面２００（図３参照）に遷移する。
【０１２１】
≪第２の実施形態：用紙設定画面での処理≫
図２６は、第２の実施形態に係る用紙設定画面２１０（図４参照）において画面左側のトレイ１〜トレイ６の何れかのトレイボタンが押下されたときの、操作制御部１６２Ａの処理を示すフローチャートである。
【０１２２】
ステップＳ３３１において、操作制御部１６２Ａは、トレイ１〜トレイ６の何れかのトレイボタンの押下を検知する。
ステップＳ３３２において、操作制御部１６２Ａは、ステップＳ３３１で押下されたトレイに対する調整画面栞が設定済みならば（ステップＳ３３２→Ｙ）ステップＳ３３３に進み、未設定ならば（ステップＳ３３２→Ｎ）ステップＳ３３４に進む。例えば、ステップＳ３３１においてトレイ１のトレイボタン２１２が押下されれば、トレイ１調整画面栞１７１が設定済みか否かに応じて、ステップＳ３３３またはステップＳ３３４に進む。
【０１２３】
ステップＳ３３３において、操作制御部１６２Ａは、トレイＮの調整画面栞に設定されているトレイＮに係る個別設定変更画面またはエキスパート調整画面に遷移する。例えば、ステップＳ３３１でトレイ２の選択が検知されたならば、トレイ２調整画面栞１７２に設定された個別設定変更画面またはエキスパート調整画面に遷移する。
ステップＳ３３４において、操作制御部１６２Ａは、ステップＳ３３１で検知されたトレイＮの個別設定変更画面に遷移する。例えば、ステップＳ３３１でトレイ３の選択が検知されたならば、トレイ３の個別設定変更画面に遷移する。
【０１２４】
≪第２の実施形態：調整画面栞とジョブ栞を参照した画面遷移処理の特徴≫
図２７〜図３９を参照しながら、第２の実施形態における画像形成装置１００Ａにおける画面遷移処理の特徴を説明する。
【０１２５】
図２７は、第２の実施形態に係る、機械状態トップ画面２００からトレイ１のエキスパート調整画面２３０まで遷移したときの画面遷移を示す図である。図の左側の「機械状態」の列３１１は、機械状態タブのなかで、機械状態トップ画面２００から、用紙設定画面２１０、トレイ１の個別設定変更画面２２０、トレイ１のエキスパート調整画面２３０と遷移したことを示している。トレイ１のエキスパート調整画面２３０がハッチングされており、現時点でエキスパート調整画面２３０が表示されていることを示している。他の図（図２８〜図３９）においても、ハッチングされている画面が表示されている画面である。なお、この時点では、ジョブリストタブ２０２（図３参照）は押下されておらず、図の右側の「ジョブリスト」の列３１３，３１４は空である。
【０１２６】
図２８は、第２の実施形態に係る、トレイ１のエキスパート調整画面２３０において確認プリントボタン２３８が押下されたときの画面遷移を示す図である。この時点では、トレイ１ジョブ栞１８１は未設定であり、一時保存ジョブリスト画面２４０に遷移する（図２３のステップＳ３０４→Ｎ、Ｓ３０６参照）。トレイ１のエキスパート調整画面２３０が太い枠であるのは、トレイ１調整画面栞１７１にエキスパート調整画面２３０が設定されている（図２３のステップＳ３０２参照）ことを示す。現在トレイ１９０にはトレイ１の識別情報が設定されている。
【０１２７】
図２９は、第２の実施形態に係る、一時保存ジョブリスト画面２４０からジョブ１のサンプル出力画面２６０まで遷移したときの画面遷移を示す図である。図の右側の「ジョブリスト」の列３１３は、ジョブリストタブのなかで、一時保存ジョブリスト画面２４０から、ジョブ１のジョブチケット編集画面２５０、ジョブ１のサンプル出力画面２６０と遷移したことを示している。ジョブ１のサンプル出力画面２６０がハッチングされており、現時点でジョブ１のサンプル出力画面２６０が表示されていることを示している。なお、「ジョブ１」とは、一時保存ジョブリスト画面２４０（図７参照）中央で選択された印刷ジョブを示し、トレイ１の設定を確認するためにサンプル出力される印刷ジョブである。
【０１２８】
図３０は、第２の実施形態に係る、ジョブ１のサンプル出力画面２６０においてＯＫボタン２６３が押下されたときの画面遷移を示す図である。サンプル出力の後、ジョブ１のジョブチケット編集画面２５０に戻っている。ジョブ１のサンプル出力画面２６０が太い枠であるのは、サンプル出力画面２６０において出力されたジョブの情報がトレイ１ジョブ栞１８１に設定されている（図２４のステップＳ３１４参照）ことを示す。
【０１２９】
図３１は、第２の実施形態に係る、ジョブ１のジョブチケット編集画面２５０において機械状態タブ２５７が押下されたときの画面遷移を示す図である。機械状態トップ画面２００が表示される（図２５のステップＳ３２１，Ｓ３２２参照）。
図３２は、第２の実施形態に係る、機械状態トップ画面２００において用紙設定ボタン２０７が押下されたときの画面遷移を示す図である。用紙設定画面２１０が表示される。
【０１３０】
図３３は、第２の実施形態に係る、用紙設定画面２１０においてトレイ２のトレイボタン２１７が押下されたときの画面遷移を示す図である。トレイ２の個別設定変更画面（図５のトレイ１の個別設定変更画面２２０参照）が表示される。
図３４は、第２の実施形態に係る、トレイ２の個別設定変更画面においてエキスパート調整ボタン（図５に記載されたトレイ１の個別設定変更画面２２０のエキスパート調整ボタン２２５を参照）が押下されたときの画面遷移を示す図である。トレイ２のエキスパート調整画面（図６のトレイ１のエキスパート調整画面２３０参照）が表示される。
【０１３１】
図３５は、第２の実施形態に係る、トレイ２のエキスパート調整画面において確認プリントボタンが押下されたときの画面遷移を示す図である。トレイ２のエキスパート調整画面が太い枠であるのは、トレイ２調整画面栞１７２にトレイ２のエキスパート調整画面が設定されている（図２３のステップＳ３０２参照）ことを示す。一時保存ジョブリスト画面２４０が表示される。現在トレイ１９０にはトレイ２の識別情報が設定されている。
【０１３２】
図３６は、第２の実施形態に係る、一時保存ジョブリスト画面２４０において機械状態タブ２４７が押下されたときの画面遷移を示す図である。機械状態トップ画面２００が表示される（図２５のステップＳ３２１，Ｓ３２２参照）。
図３７は、第２の実施形態に係る、機械状態トップ画面２００において用紙設定ボタン２０７が押下されたときの画面遷移を示す図である。用紙設定画面２１０が表示される。
図３８は、第２の実施形態に係る、用紙設定画面２１０においてトレイ１のトレイボタン２１２が押下されたときの画面遷移を示す図である。トレイ１のエキスパート調整画面２３０が表示される（図２６のステップＳ３３１、Ｓ３３２→Ｙ、Ｓ３３３参照）。
【０１３３】
図３９は、第２の実施形態に係る、トレイ１のエキスパート調整画面２３０において確認プリントボタン２３８が押下されたときの画面遷移を示す図である。押下される時点において、トレイ１ジョブ栞１８１には、図２９〜図３０においてサンプル出力されたジョブの情報が設定されているため、当該サンプル出力画面２６０に遷移する（図２３のステップＳ３０４→Ｙ、Ｓ３０５参照）。
【０１３４】
トレイごとにジョブ栞があり、確認プリントボタンが押下されたときの遷移先の画面は、個別設定変更画面やエキスパート調整画面がどのトレイに対応した画面であるかに依存する。トレイ１のエキスパート調整画面からはジョブ１のサンプル出力画面に遷移している（図３８、図３９参照）が、トレイ２のエキスパート調整画面からは一時保存ジョブリスト画面２４０に遷移する（図３４、図３５参照）。これは、トレイ１ジョブ栞１８１には、ジョブ１のサンプル出力対象となるジョブの情報が格納されているのに対して、トレイ２ジョブ栞１８２は、未設定であるからである。
【０１３５】
トレイ２の個別設定変更画面またはエキスパート調整画面の確認プリントボタンが押下されて一時保存ジョブリスト画面２４０に遷移し、印刷ジョブが選択されてサンプル出力されれば、以降は、トレイ２の個別設定変更画面またはエキスパート調整画面の確認プリントボタンが押下されることにより、当該印刷ジョブのサンプル出力画面に遷移するようになる。トレイごとにジョブ栞があり、確認プリントボタンが押下されたときの遷移先のサンプル出力画面における印刷ジョブは、トレイに異なる。
【０１３６】
トレイごとに調整画面栞があり、用紙設定画面２１０でトレイボタンが押下されたときの遷移先の画面は、トレイに依存する。トレイ１のトレイボタンが押下されたときには、トレイ１調整画面栞１７１に設定されているエキスパート調整画面に遷移している（図３７、図３８参照）が、トレイ２のトレイボタンが押下されたときにはトレイ２調整画面栞１７２が未設定であるため、個別設定変更画面に遷移する（図３２、図３３参照）。利用者は、用紙設定の対象となるトレイごとにサンプル出力する印刷ジョブを選択することができ、設定内容に応じた画像を印刷しながら設定を確認することができる。
【０１３７】
≪第２の実施形態：変形例１：サンプル出力画面から用紙設定画面へ遷移≫
第１の実施形態と同様に、サンプル出力後にジョブチケット編集画面２５０に遷移することなく、エキスパート調整画面２３０に遷移するようにしてもよい。
図４０は、第２の実施形態の変形例１に係るサンプル出力画面２６０のＯＫボタン２６３（図９参照）が押下されたときの、操作制御部１６２Ａの処理を示すフローチャートである。図４０は、図２４に替わる処理である。
【０１３８】
ステップＳ３４１〜Ｓ３４２は、図１１のステップＳ１１１〜Ｓ１１２とそれぞれ同様である。
ステップＳ３４３において、操作制御部１６２Ａは、現在トレイ１９０が設定済みならば（ステップＳ３４３→Ｙ）ステップＳ３４５に進み、未設定ならば（ステップＳ３４３→Ｙ）ステップＳ３４４に進む。
【０１３９】
ステップＳ３４４において、操作制御部１６２Ａは、ジョブチケット編集画面２５０に遷移する。
ステップＳ３４５において、操作制御部１６２Ａは、ステップＳ３４２で印刷された印刷ジョブの情報を現在トレイ１９０に設定されているトレイに関連付けられたジョブ栞に設定する。例えば、現在トレイ１９０にトレイ６の識別情報が設定されていればトレイ６ジョブ栞１８６に設定する。印刷ジョブの情報は、印刷ジョブの識別情報を含む。出力条件設定領域２６１において、出力するページ（シート）が指定されている場合には、当該ページ情報も含めてジョブ栞に設定する。
【０１４０】
ステップＳ３４６において、操作制御部１６２Ａは、現在トレイ１９０に設定されているトレイに関連付けられた調整画面栞に個別設定変更画面またはエキスパート調整画面が設定済みならば（ステップＳ３４６→Ｙ）ステップＳ３４７に進み、未設定ならば（ステップＳ３４６→Ｎ）ステップＳ３４４に進む。
ステップＳ３４７において、操作制御部１６２Ａは、現在トレイ１９０に設定されているトレイに関連付けられた調整画面栞に設定された個別設定変更画面またはエキスパート調整画面に遷移する。例えば、現在トレイ１９０にトレイ４の識別情報が設定されているならば、トレイ４調整画面栞１７４に設定された個別設定変更画面またはエキスパート調整画面に遷移する。
【０１４１】
図４１は、第２の実施形態の変形例１に係る、サンプル出力画面２６０においてＯＫボタン２６３が押下されたときの画面遷移を示す図である。第２の実施形態においては、図３０で説明したように、サンプル出力画面２６０においてＯＫボタン２６３が押下されたときには、ジョブチケット編集画面２５０に遷移している。この時点では、現在トレイ１９０にはトレイ１の識別情報が設定され、トレイ１調整画面栞１７１にはエキスパート調整画面２３０の識別情報が設定されている。このため、ステップＳ３４３→Ｙ，Ｓ３４５，Ｓ３４６→Ｙ，Ｓ３４７と進み、図４１に示すように、エキスパート調整画面２３０に遷移する。利用者は、ジョブチケット編集画面２５０で機械状態タブ２５７を押下することなく、サンプル出力の直後にエキスパート調整画面２３０に戻り、再設定することができる。
【０１４２】
≪第２の実施形態：変形例２：リセット処理≫
利用者は、用紙設定を行うために、トレイ１調整画面栞１７１〜トレイ６調整画面栞１７６に設定される個別設定変更画面２２０またはエキスパート調整画面２３０と、トレイ１ジョブ栞１８１〜トレイ６ジョブ栞１８６に設定されるサンプル出力画面２６０との間を往復する。第２の実施形態の変形例２では、画像形成装置１００Ａは、調整が終了したことを検知して、トレイ１調整画面栞１７１〜トレイ６調整画面栞１７６やトレイ１ジョブ栞１８１〜トレイ６ジョブ栞１８６を初期化する。
【０１４３】
≪第２の実施形態：変形例２：トレイリセット時における栞初期化処理≫
図４２は、第２の実施形態の変形例２に係る、トレイリセット時における栞初期化処理のフローチャートである。
ステップＳ４０１において、操作制御部１６２Ａは、トレイＮの開閉、設定リセットまたは用紙プロファイル呼出しを検知する。
【０１４４】
トレイＮの開閉は、プリンタ部１３０が検知したトレイＮの開閉イベントが、制御部１４０を介して、操作制御部１６２Ａに通知されて、検知される。用紙設定画面２１０の新規設定ボタン２１５（図４参照）が押下され、閉じるボタン２１６が押下されると新規の設定が確定し、設定リセットが検知される。用紙設定内容表示領域２１３の上部にある設定呼出しボタンまたはＮｏ．呼出しボタンが押下されて用紙プロファイルが呼び出されると、設定呼出し画面（不図示）が表示され、用紙プロフィルを設定すると、用紙プロファイル呼出しが検知される。
【０１４５】
ステップＳ４０２において、操作制御部１６２Ａは、トレイＮ調整画面栞とトレイＮジョブ栞を初期化する。例えば、ステップＳ４０１においてトレイ４の開閉が検知された場合には、操作制御部１６２Ａは、トレイ４調整画面栞１７４とトレイ４ジョブ栞１８４とを初期化する。
【０１４６】
ステップＳ４０３において、操作制御部１６２Ａは、現在トレイ１９０の設定内容がトレイＮの識別情報と同じならば（ステップＳ４０３→Ｙ）ステップＳ４０４に進み、異なるならば（ステップＳ４０３→Ｎ）処理を終了する。
ステップＳ４０４において、操作制御部１６２Ａは、現在トレイ１９０を初期化する。
【０１４７】
≪第２の実施形態：変形例２：オートリセット時における栞初期化処理≫
図４３は、第２の実施形態の変形例２に係る、オートリセット時における栞初期化処理のフローチャートである。
ステップＳ４１１において、操作制御部１６２Ａは、オートリセットを検知する。オートリセットは、電源ＯＮ他の画像形成装置１００Ａ全体の初期化時や画像形成装置１００Ａの利用者のログオフ時に検知される。
【０１４８】
ステップＳ４１２において、操作制御部１６２Ａは、全てのトレイに対して、ステップＳ４１３の処理を実行する。以下では、処理対象の個々のトレイをトレイＮと記す。
ステップＳ４１３において、操作制御部１６２Ａは、トレイＮの調整画面栞とジョブ栞とを初期化する。例えば、トレイ５の場合には、操作制御部１６２Ａは、トレイ５調整画面栞１７５とトレイ５ジョブ栞１８５とを初期化する。
【０１４９】
ステップＳ４１４において、操作制御部１６２Ａは、全てのトレイに対して、ステップＳ４１３の処理を実行したならば、ステップＳ４１５に進む。未処理のトレイがあれば、操作制御部１６２Ａは、当該トレイに対してステップＳ４１３の処理を実行する。
ステップＳ４１５において、操作制御部１６２Ａは、現在トレイ１９０を初期化する。
【０１５０】
≪第２の実施形態：変形例２：印刷ジョブ出力要求時の栞初期化処理≫
図４４は、第２の実施形態の変形例２に係る、印刷ジョブ出力要求時の栞初期化処理のフローチャートである。
ステップＳ４２１において、操作制御部１６２Ａは、印刷ジョブの出力要求を検知する。例えば、一時保存ジョブリスト画面２４０（図７参照）中央に表示されるジョブを選択して出力する場合やサンプル出力画面２６０（図９参照）で出力する場合に、印刷ジョブの出力要求が検知される。
【０１５１】
ステップＳ４２２において、操作制御部１６２Ａは、出力要求があった印刷ジョブの出力（印刷）を制御部１４０に指示する。
ステップＳ４２３において、操作制御部１６２Ａは、ステップＳ４２２において出力された印刷ジョブがトレイ１ジョブ栞１８１〜トレイ６ジョブ栞１８６の何れかに設定された印刷ジョブであれば（ステップＳ４２３→Ｙ）ステップＳ４２４に進み、トレイ１ジョブ栞１８１〜トレイ６ジョブ栞１８６の何れに設定された印刷ジョブとも異なる印刷ジョブならば（ステップＳ４２３→Ｎ）ステップＳ４２７に進む。
【０１５２】
ステップＳ４２４において、操作制御部１６２Ａは、ステップＳ４２２において出力された印刷ジョブがサンプル出力（サンプル出力画面２６０参照）によるジョブであれば（ステップＳ４２４→Ｙ）ステップＳ４２５に進み、サンプル出力によるジョブでなければ（ステップＳ４２４→Ｎ）ステップＳ４２７に進む。
【０１５３】
ステップＳ４２５において、操作制御部１６２Ａは、前回印刷時と色指定が同じであれば（ステップＳ４２５→Ｙ）ステップＳ４２６に進み、異なれば（ステップＳ４２５→Ｎ）ステップＳ４２７に進む。色指定とは、単色印刷、２色印刷またはフルカラー印刷の何れかの指定である。操作制御部１６２Ａは、前回印刷時の色指定を記憶しておき、今回の印刷における色指定と比較する。
【０１５４】
ステップＳ４２６において、操作制御部１６２Ａは、前回印刷時と印字率の差が所定の閾値未満であれば（ステップＳ４２６→Ｙ）処理を終了し、所定の閾値以上であれば（ステップＳ４２６→Ｎ）ステップＳ４２７に進む。印字率は、印刷された画像の面積と濃度から算出される値であり、制御部１４０から通知される。例えば、印刷範囲の半分の面積が濃度５０％で印刷され、他の半分には印刷されない場合には、印字率は２５％になる。操作制御部１６２Ａは、前回印刷時の印字率を記憶しておき、今回の印刷における印字率と比較する。
ステップＳ４２７において、操作制御部１６２Ａは、トレイ１調整画面栞１７１〜トレイ６調整画面栞１７６、トレイ１ジョブ栞１８１〜トレイ６ジョブ栞１８６および現在トレイ１９０を初期化する。
【０１５５】
≪第２の実施形態：変形例２：栞初期化処理の特徴≫
トレイの開閉や設定リセット、オートリセット、ジョブ栞に設定された印刷ジョブ以外の印刷、サンプル出力以外の印刷、印刷の色指定の変更などを検知すると、画像形成装置１００Ａは調整画面栞やジョブ栞を初期化する。トレイに格納された用紙の変更や通常の印刷が実行されると、画像形成装置１００Ａは、利用者による用紙設定調整が終了したと判断して、調整画面栞やジョブ栞を初期化する。また、サンプル出力であっても色指定や印字率が変化した場合でも、調整画面栞やジョブ栞を初期化する。
【０１５６】
調整画面栞を初期化することで、サンプル出力後やトレイ選択時に用紙設定調整が終了して遷移が不要である個別設定変更画面やエキスパート調整画面に遷移することが防げる。不要に画面遷移すると、キャンセルボタンを押下して機械状態トップ画面２００や用紙設定画面２１０に戻ったりする手間を削減することができる。
【０１５７】
なお、栞初期化処理は、第１の実施形態においても同様に実施可能である。何れかのトレイの開閉や設定リセット、オートリセットを検知したときに調整画面栞１７０とジョブ栞１８０を初期化してもよい。図４４に示した印刷ジョブ出力要求時の栞初期化処理についても同様に調整画面栞１７０とジョブ栞１８０を初期化してもよい。
【０１５８】
なお、本発明は、上記した実施形態に限定されることなく、その趣旨を逸脱しない範囲で変更することができる。
例えば、第１や第２の実施形態において制御部１４０と操作部１６０，１６０Ａは別の構成要素としたが、一体としてもよい。
【符号の説明】
【０１５９】
１００，１００Ａ  画像形成装置
１１０  画像処理部
１２０  本体部
１３０  プリンタ部
１４０  制御部
１６０，１６０Ａ  操作部（画面表示操作部）
１７０  調整画面栞（調整画面）
１７１  トレイ１調整画面栞（調整画面、トレイに関連付けられた調整画面）
１７２  トレイ２調整画面栞（調整画面、トレイに関連付けられた調整画面）
１７３  トレイ３調整画面栞（調整画面、トレイに関連付けられた調整画面）
１７４  トレイ４調整画面栞（調整画面、トレイに関連付けられた調整画面）
１７５  トレイ５調整画面栞（調整画面、トレイに関連付けられた調整画面）
１７６  トレイ６調整画面栞（調整画面、トレイに関連付けられた調整画面）
１８０  ジョブ栞（調整印刷ジョブ）
１８１  トレイ１ジョブ栞（調整印刷ジョブ、トレイに関連付けられた調整印刷ジョブ）
１８２  トレイ２ジョブ栞（調整印刷ジョブ、トレイに関連付けられた調整印刷ジョブ）
１８３  トレイ３ジョブ栞（調整印刷ジョブ、トレイに関連付けられた調整印刷ジョブ）
１８４  トレイ４ジョブ栞（調整印刷ジョブ、トレイに関連付けられた調整印刷ジョブ）
１８５  トレイ５ジョブ栞（調整印刷ジョブ、トレイに関連付けられた調整印刷ジョブ）
１８６  トレイ６ジョブ栞（調整印刷ジョブ、トレイに関連付けられた調整印刷ジョブ）
２００  機械状態トップ画面（トレイ情報画面）
２１０  用紙設定画面（トレイ情報画面）
２２０  個別設定変更画面（用紙設定画面）
２２８  確認プリントボタン（確認印刷ボタン）
２３０  エキスパート調整画面（用紙設定画面）
２３８  確認プリントボタン（確認印刷ボタン）
２４０  一時保存ジョブリスト画面（印刷ジョブ選択画面）
２５０  ジョブチケット編集画面（印刷出力画面）
２６０  サンプル出力画面
【図１】
2020065177.tif 000003
【図２】
2020065177.tif 000004
【図３】
2020065177.tif 000005
【図４】
2020065177.tif 000006
【図５】
2020065177.tif 000007
【図６】
2020065177.tif 000008
【図７】
2020065177.tif 000009
【図８】
2020065177.tif 000010
【図９】
2020065177.tif 000011
【図１０】
2020065177.tif 000012
【図１１】
2020065177.tif 000013
【図１２】
2020065177.tif 000014
【図１３】
2020065177.tif 000015
【図１４】
2020065177.tif 000016
【図１５】
2020065177.tif 000017
【図１６】
2020065177.tif 000018
【図１７】
2020065177.tif 000019
【図１８】
2020065177.tif 000020
【図１９】
2020065177.tif 000021
【図２０】
2020065177.tif 000022
【図２１】
2020065177.tif 000023
【図２２】
2020065177.tif 000024
【図２３】
2020065177.tif 000025
【図２４】
2020065177.tif 000026
【図２５】
2020065177.tif 000027
【図２６】
2020065177.tif 000028
【図２７】
2020065177.tif 000029
【図２８】
2020065177.tif 000030
【図２９】
2020065177.tif 000031
【図３０】
2020065177.tif 000032
【図３１】
2020065177.tif 000033
【図３２】
2020065177.tif 000034
【図３３】
2020065177.tif 000035
【図３４】
2020065177.tif 000036
【図３５】
2020065177.tif 000037
【図３６】
2020065177.tif 000038
【図３７】
2020065177.tif 000039
【図３８】
2020065177.tif 000040
【図３９】
2020065177.tif 000041
【図４０】
2020065177.tif 000042
【図４１】
2020065177.tif 000043
【図４２】
2020065177.tif 000044
【図４３】
2020065177.tif 000045
【図４４】
2020065177.tif 000046
【図４５】
2020065177.tif 000047
【図４６】
2020065177.tif 000048
【図４７】
2020065177.tif 000049
【図４８】
2020065177.tif 000050
【図４９】
2020065177.tif 000051
【図５０】
2020065177.tif 000052
【図５１】
2020065177.tif 000053
【図５２】
2020065177.tif 000054
【図５３】
2020065177.tif 000055